(57)【特許請求の範囲】
【請求項１】
断面形状が長方形状である筒状のヒータケースと、
前記ヒータケース内に備えられており、軸方向が前記ヒータケースの軸方向に向いた状態で配置された多数の導電性の管と、
前記ヒータケースの外周側の上面と下面に配置された誘導コイルとでなる流体加熱用の誘導加熱ユニットにおいて、
前記誘導コイルは、渦状に巻いた複数の渦巻コイルを直列接続して形成された第１の誘導コイルと、渦状に巻いた複数の渦巻コイルを直列接続して形成された第２の誘導コイルとでなり、第１の誘導コイルの渦巻コイルを前記上面及び前記下面の幅方向に沿う両端側に、第２の誘導コイルの渦巻コイルを前記上面及び前記下面の幅方向に沿う中央側に配置し、しかも第１の誘導コイルに流す交流電流の電流値を第２の誘導コイルに流す交流電流の電流値よりも大きくすることを特徴とする流体加熱用の誘導加熱ユニット。
【発明の詳細な説明】
【０００１】
【発明の属する技術分野】
本発明は流体加熱用の誘導加熱ユニットに関し、断面形状が長方形状であっても、加熱温度分布を均一化することができるように工夫したものである。
【０００２】
【従来の技術】
誘導加熱の原理は、図６に示すように、誘導コイル（誘導子）１に交流電流ｉａを流すことにより発生する交番磁束Φが、誘導コイル１の近傍におかれた加熱ワーク（導電性材料）２中を通過することにより誘導電流（渦電流）ｉｅを流し、これによりジュール熱が発生することにより加熱が行われる。誘導加熱は温度制御時の応答性が良く、加熱効率も非常に優れた特長を有している。誘導加熱技術の応用例としては、溶解炉や溶接やろう付けをはじめとする金属材料の熱加工装置などが主流である。
【０００３】
一方、このような誘導加熱を利用して気体や液体などを加熱する場合には、図６の加熱ワークを熱交換体として、加熱対象物である流体を二次的に加熱する方法が一般的である。
【０００４】
ところで、気体を加熱する場合には、加熱対象が金属材料のような直接加熱とは異なり、加熱ワークからの熱伝達による間接加熱であることから、効率良く加熱するためには加熱ワークと気体の接触面積を多くする必要がある。
【０００５】
図７は誘導加熱を用いて気体を加熱する、流体加熱用の誘導加熱ユニットの概略図である。この誘導加熱ユニットでは、直径１ｍｍ〜２ｍｍ、肉厚０．０５ｍｍ〜０．１ｍｍの導電性金属の微細管を多数束ねた微細管集合体３を、断熱・耐熱性のあるセラミック製のヒータケース４に納め、ヒータケース４の外周に誘導コイル５を巻いて構成している。この誘導加熱ユニットでは、誘導コイル５に高周波電流（２０〜５０ｋＨｚ）を流すと微細管集合体３が瞬時に加熱され、このとき微細管集合体３を通る気体が管内面からの熱伝達により加熱される。このときの微細管集合体３の材質は磁性体が好ましいが、周波数が４００ｋＨｚ以上においては非磁性体でも加熱は可能である。
【０００６】
なお、誘導加熱ユニットの具体的な形状としては、図８に示すような断面円形状としたり、図９及び図１０に示すような断面長方形状としている。
【０００７】
【発明が解決しようとする課題】
図８に示すような断面円形状の誘導加熱ユニットの場合、その断面における微細管集合体（加熱体）３の熱分布は、中心部が最も高くなり（つまり熱集中部Ｈが中心部にあり）、中心部から周辺部に向かうに従い低くなる。流体加熱の場合、このような熱分布の不均一があっても、管内における気体流体の攪拌作用および熱の拡散作用によって気体そのものはほぼ均一方向に向かう。
【０００８】
一方、図９及び図１０に示すような断面長方形状の誘導加熱ユニットの場合、熱集中部Ｈは、両端部に位置し、加熱による熱分布はその両端部において集中的に高くなり、中央部ではほとんど加熱が行われない。つまり、断面形状が長方形となっている筒形のヒータケース４の外周に誘導コイル５を外周巻きした誘導加熱ユニットでは、幅方向に関して加熱温度分布が不均一となる。この場合、ユニット内での攪拌作用や拡散作用では追いつかず、幅方向に均一な流体の加熱は不可能である。
【０００９】
本発明は、上記従来技術に鑑み、断面形状が長方形状であっても加熱温度分布を均一化することができる誘導加熱ユニットを提供することを目的とする。
【００１２】
【課題を解決するための手段】
上記課題を解決する本発明の構成は、断面形状が長方形状である筒状のヒータケースと、前記ヒータケース内に備えられており、軸方向が前記ヒータケースの軸方向に向いた状態で配置された多数の導電性の管と、前記ヒータケースの外周側の上面と下面に配置された誘導コイルとでなる流体加熱用の誘導加熱ユニットにおいて、前記誘導コイルは、渦状に巻いた複数の渦巻コイルを直列接続して形成された第１の誘導コイルと、渦状に巻いた複数の渦巻コイルを直列接続して形成された第２の誘導コイルとでなり、第１の誘導コイルの渦巻コイルを前記上面及び前記下面の幅方向に沿う両端側に、第２の誘導コイルの渦巻コイルを前記上面及び前記下面の幅方向に沿う中央側に配置し、しかも第１の誘導コイルに流す交流電流の電流値を第２の誘導コイルに流す交流電流の電流値よりも大きくすることを特徴とする。
【００１３】
【発明の実施の形態】
以下に本発明の実施の形態を図面に基づき詳細に説明する。
【００１４】
図１及び図２は本発明の実施の形態にかかる、流体加熱用の誘導加熱ユニット１０を示す。この誘導加熱ユニット１０のヒータケース１１は、断熱・耐熱性のある材料（例えばセラミック）により形成されており、断面形状が長方形状の筒体となっている。ここにおいて、「断面形状が長方形状」とは、筒状のヒータケース１１の軸方向に対して直角に切断した断面形状が長方形状になっていることを意味する。
【００１５】
ヒータケース１１の内部空間には、多数本の微細管１２が備えられている。微細管１２は導電性金属で形成されており、その軸方向が、ヒータケース１１の軸方向に向いた状態で配置されている。このように、ヒータケース１１の内部空間を充填するように、多数本の微細管１２が緊密に配置されている。加熱対象である気体は、多数の微細管１２の内部空間や、隣接する微細管１２の間の隙間や、微細管１２とヒータケース１１の間の空間を流通していくことができる。
【００１６】
誘導コイル１３は、ヒータケース１１の外周側の上面と下面に配置されている。この誘導コイル１３は、渦状に巻いた複数の渦巻コイル１３ａ〜１３ｈを直列接続して形成されている。この場合、渦巻コイル１３ａ〜１３ｈの巻方向は、隣接するもの同志が逆になるように配置してある。そして、上面側の渦巻コイル１３ａ〜１３ｅと、下面側の渦巻コイル１３ｆ〜１３ｈのうち、上下で対応する渦巻コイルの巻方向が逆になっている。図３は、このような誘導コイル１３を抽出して示すものである。
【００１７】
このような構成となっている誘導加熱ユニット１０の誘導コイル１３に交流電流ｉａを流すと、直列接続された各渦巻コイル１３ａ〜１３ｈに電流値が等しい交流電流ｉａが流れ、各渦巻コイル１３ａ〜１３ｈから同一強度の磁束が発生する。したがって、幅方向に広がったヒータケース１１の内部空間の各部分（渦巻コイルを配置した部分）にて磁束が略均一に発生し、この磁束が微細管１２を通過し、渦電流により微細管１２が全体的に均一に加熱される。つまり、各渦巻コイル１３ａ〜１３ｈが分担してその近くの微細管１２を加熱するため、多数の微細管１２は、全体的に均一に一括加熱されることになる。
【００１８】
しかも、渦巻コイル１３ａ〜１３ｈの巻方向（電流の流れ方向に沿って辿ったときにできる渦の巻方向）は、隣接するもの同志が逆になるように配置してあり、しかも、上面側の渦巻コイル１３ａ〜１３ｄと、下面側の渦巻コイル１３ｅ〜１３ｈのうち、上下で対応する渦巻コイルの巻方向が逆になっている。したがって、磁束状態を示す図４に示すように、渦巻コイル１３ａ〜１３ｈのうち隣接するものから発生する磁束が打ち消し合うことなく協調して流れて磁束のループを形成する。このため、大きな磁束が維持され、微細管１２を効果的に加熱することができる。
【００１９】
このようにして加熱された微細管１２に気体を流通させることにより、気体の加熱をすることができる。
【００２０】
図５は誘導コイルの他の例を示す。この誘導コイルは、４つの渦巻コイル１３Ａ−１〜１３Ａ−４を直列接続した第１の誘導コイルと、４つの渦巻コイル１３Ｂ−１〜１３Ｂ−４を直列接続した第２の誘導コイルとでなる。そして、第１の誘導コイルの渦巻コイル１３Ａ−１〜１３Ａ−４は両端側に配置され、第２の誘導コイルの渦巻コイル１３Ｂ−１〜１３Ｂ−４は中央側に配置されている。そして、第１の誘導コイルには交流電流ｉａ−Ａを流し、第２の誘導コイルには交流電流ｉａ−Ｂを流している。しかも、隣接する渦巻コイルの巻方向を逆にしている。
【００２１】
幅方向に長い誘導加熱ユニットでは、両端での放熱が大きいため、両端側に配置された渦巻コイル１３Ａ−１〜１３Ａ−４でなる第１の誘導コイルに流す交流電流ｉａ−Ａの電流値を、中央側に配置された渦巻コイル１３Ｂ−１〜１３Ｂ−４でなる第２の誘導コイルに流す交流電流ｉａ−Ｂよりも大きくすることにより、誘導加熱ユニットでの温度分布をより均一に保つことが可能となる。
【００２２】
なお、上述した実施の形態により液体の加熱を行うこともできる。
【００２３】
【発明の効果】
以上、実施の形態と共に具体的に説明したように、本発明にかかる流体加熱用の誘導加熱ユニットは、複数の渦巻コイルを分割して設置するようにしているため、各渦巻コイルがその近傍の微細パイプを分担して加熱するため、断面形状が長方形状のヒータケース内に配置した管の全体の温度を均一に一括加熱することが可能となる。
【図面の簡単な説明】
【図１】本発明の実施の形態にかかる誘導加熱コイルを示す斜視図。
【図２】本発明の実施の形態にかかる誘導加熱コイルを示す正面図。
【図３】誘導コイルを示す説明図。
【図４】本発明の実施の形態にかかる誘導加熱コイルを、磁束状態と共に示す正面図。
【図５】誘導コイルの他の例を示す説明図。
【図６】誘導加熱の原理を示す説明図。
【図７】従来の誘導加熱ユニットの概要を示す分解斜視図。
【図８】従来の円形状の誘導加熱ユニットを示す断面図。
【図９】従来の長方形状の誘導加熱ユニットを示す断面図。
【図１０】従来の長方形状の誘導加熱ユニットを示す斜視図。
【符号の説明】
１０  誘導加熱ユニット
１１  ヒータケース
１２  微細管
１３  誘導コイル
１３ａ〜１３ｈ  渦巻コイル
１３Ａ−１〜１３Ａ−４，１３Ｂ−１〜１３Ｂ−４  渦巻コイル
ｉａ，ｉａ−Ａ，ｉａ−Ｂ  交流電流
【図１】
0003893919.tif 000002
【図２】
0003893919.tif 000003
【図３】
0003893919.tif 000004
【図４】
0003893919.tif 000005
【図５】
0003893919.tif 000006
【図６】
0003893919.tif 000007
【図７】
0003893919.tif 000008
【図８】
0003893919.tif 000009
【図９】
0003893919.tif 000010
【図１０】
0003893919.tif 000011